(57)【要約】【課題】本発明は、股下部分を通さずに反力の大きい臀部によって身体を支える構成とすることで長時間の吊り上げを可能とする吊下げ用歩行補助具を提供することを目的とするものである。【解決手段】本発明の吊下げ用歩行補助具５は、ズボン本体６の臀部側に装着される臀部固定用ベルト７と、恥骨近傍の腹部分を覆う恥骨部固定帯８と、腰骨後方位置に装着される補助ベルト１３とから構成される。【選択図】        図３
2004329365.tif 000002
【特許請求の範囲】
【請求項１】
ズボン様に形成されるズボン本体と、
前記ズボン本体の臀部と大腿部との境目付近に沿って装着される臀部固定用ベルトと、
恥骨近傍の腹部分を覆う恥骨部固定帯と、
腰骨後方位置に沿って装着される補助ベルトとを備え、
前記臀部固定用ベルトおよび補助ベルトと恥骨部固定帯とを締着した状態で連結させる如き構成とする
ことを特徴とする吊下げ用歩行補助具。
【請求項２】
ズボン様に形成されるズボン本体と、
前記ズボン本体の臀部と大腿部との境目付近に沿って装着される臀部固定用ベルトと、
恥骨近傍の腹部分を覆う恥骨部固定帯と、
腰骨後方位置に沿って装着される補助ベルトと、
前記臀部固定用ベルトに結合される吊上げロープとを備え、
前記臀部固定用ベルトおよび補助ベルトと恥骨部固定帯とを連結させると共に前記吊上げロープにより臀部固定用ベルトおよび補助ベルト並びに恥骨部固定帯とを締着させる如き構成とする
ことを特徴とする吊下げ用歩行補助具。
【発明の詳細な説明】
【０００１】
【発明の属する技術】
本発明は吊下げ用歩行補助具に関する。詳しくはリフトなどからの吊下げに対して局部的に荷重がかからない吊下げ用歩行補助具に係るものである。
【０００２】
【従来の技術】
自立歩行や歩行訓練としてリフトなどによって被介護者を吊下げて、所定位置までの移動や、また被介護者を吊下げることによって被介護者の下半身にかかる負荷を軽減しながらの歩行訓練が行われている。
【０００３】
従来よりこの種の吊下げ用歩行補助具として図１１に示すものがある。この補助具１０１はパラシュートハーネスと呼ばれ、パラシュートに設けられる固定ベルトであり、使用に当たっては身体１０２の股下部、両脇部をベルト１０３によってループ状に支持した構成とするものである。
【０００４】
また、天井に配設されたリフトから垂下されたフックに係止して使用する歩行補助具として図１２に開示された発明がある。この歩行補助具はズボン様をなす本体１０４と、この本体１０４に、その左右上端部から、前身頃、股下部および後身頃を経て再度前記左右上端部に戻るループ状に配設された左右一対のベルト１０５と、本体１０４の左右上端部にてベルト１０５の両端に形成され、フックと係合する環状部１０６が形成された構成とするものである。
【０００５】
このようにこれまでの吊下げ装置は、大腿部と臀部に力が掛るようにして、大腿部に３０％、臀部に７０％の力が配分されるように考えられてきた。また、大腿部は圧迫による苦痛があるため、面で力がかかるようにして、集中的な力がかからないように配慮され、更に臀部は痛みに鈍感なので、比較的狭いベルトで力を受けるように配慮されている。
【０００６】
【特許文献１】
特開平１１−１１３９８８号公報
【０００７】
【発明が解決しようとする課題】
しかしながら臀部は腸骨下部に位置する坐骨で力を受ける。また、大腿部は大腿骨で力を受けるが、坐骨と大腿骨が関節で結合されており、大腿骨と坐骨を装具で絞めて結合するため、大腿骨の動きが拘束される。従ってぎこちない歩行状態となり、小さい歩幅で殆ど跳びながらの歩行となる問題がある。
【０００８】
また、股下部をベルトによってループ状に支持固定するものであり、短時間での吊下げにあっては何ら支障はないが、歩行訓練などの長時間での吊下げにあっては股下部に痛みが生じたり、ベルトによる股ズレが生じるなどの問題がある。
【０００９】
また、股下部分は身体の中でも非常に柔らかい部分であり、吊下げることによって自重が股下部分に局部的にかかることからベルト幅を広くする必要が生じてくる。
しかしベルトの幅を広くすることにより歩行に支障をきたすこととなり、更にベルトによって股下部が圧迫されることにより血行障害を生じる問題がある。
【００１０】
本発明は、以上の点に鑑みて創案されたものであって、股下部分を通さずに反力の大きい臀部によって身体を支える構成とすることで長時間の吊り上げを可能とする吊下げ用歩行補助具を提供することを目的とするものである。
【００１１】
【課題を解決するための手段】
上記の目的を達成するために、本発明に係る吊下げ用歩行補助具は、ズボン様に形成されるズボン本体と、前記ズボン本体の臀部と大腿部との境目付近に沿って装着される臀部固定用ベルトと、恥骨近傍の腹部分を覆う恥骨部固定帯と、腰骨後方位置に沿って装着される補助ベルトとを備え、前記臀部固定用ベルトおよび補助ベルトと恥骨部固定帯とを締着した状態で連結させる如き構成とする。
【００１２】
ここで、ズボン本体の臀部と大腿部との境目付近に沿って装着される臀部固定用ベルトによって股下部を通さずに臀部と大腿部の境目部分、即ち臀部において最も硬い部分に当接した状態で恥骨部固定帯および補助ベルトとを締着した状態で連結させることによって椅子に腰掛けた状態と略近い状況となり長時間における歩行訓練が可能となる。
【００１３】
また、上記の目的を達成するために、本発明に係る吊下げ用歩行補助具は、ズボン様に形成されるズボン本体と、前記ズボン本体の臀部と大腿部との境目付近に沿って装着される臀部固定用ベルトと、恥骨近傍の腹部分を覆う恥骨部固定帯と、腰骨後方位置に沿って装着される補助ベルトと、前記臀部固定用ベルトに結合される吊上げロープとを備え、前記臀部固定用ベルトおよび補助ベルトと恥骨部固定帯とを連結させると共に前記吊上げロープにより臀部固定用ベルトおよび補助ベルト並びに恥骨部固定帯とを締着させる如き構成とする
【００１４】
ここで、ズボン本体の臀部と大腿部との境目付近に沿って装着される臀部固定用ベルトによって股下部を通さずに臀部と大腿部の境目部分、即ち臀部において最も硬い部分に当接した状態で恥骨部固定帯および補助ベルトとを連結させると共に、吊上げロープにより臀部固定用ベルトおよび補助ベルト並びに恥骨部固定帯とを締着させるることによって吊上げの際に生じるモーメントは、恥骨部固定帯および補助ベルト側へ分散され椅子に腰掛けた状態と略近い状況での長時間における歩行訓練が可能となる。
【００１５】
【発明の実施の形態】
以下、本発明の実施の形態を図面を参酌しながら説明し、本発明の理解に供する。
【００１６】
図１に横から見た腰骨部にかかる吊り上げモーメントを示す説明図、図２に図１における腰骨部にかかる立位による作用点の移動を示す説明図である。
【００１７】
ここで示す腰骨部１は、坐骨２、恥骨３および腸骨４より成る。そこで坐骨２下部に当たるＡ点で全体重を吊り上げるようにすれば、体重を受ける容器である腰骨部２を吊り上げることになり、関節を拘束して体を動き難くすることは全くなくなるからである。
【００１８】
現実にも坐骨２の周辺には臀部の柔らかい肉があり、椅子に座る状態では、臀部の肉を介して坐骨にそのまま力が掛るため腰骨部１で受ける全荷重を坐骨２で受けることが可能である。しかも、好ましいことに、臀部の痛覚は鈍く、また臀部の肉で力が集中しない構造となっている。
【００１９】
しかし、立位の状態では坐骨２下部位置Ａ点は股で隠れてしまい、点Ａで体重を支えることはできない、そのため図２に示すように点ａの位置に体重を支えるようにするが、この点ａの位置は坐骨２下部でないために容易にずれてしまう。
そこで点ａの位置を固定する手段として図３に、本発明を適用した吊下げ用歩行補助具の基本構成を説明するための側面説明図、図４に図３における正面説明図を示す。
【００２０】
ここで示す吊下げ用歩行補助具５は、ズボン本体６の臀部位置ａ点を固定するために、股下部を通さずに臀部と大腿部の境目部分、即ち臀部において最も硬い部分に当接した状態で臀部固定用ベルト７をズボン本体６に縫い付け、また、補助ベルト１３を腰の後に回した状態でズボン本体６に縫い付ける。
【００２１】
一方、恥骨部固定帯８は、恥骨の突起部の位置に係留用穴９が開けられ、この係留用穴９に恥骨突起部Ｂがはまるようにして上下にずれないような構造とする。そして恥骨部固定帯８の両端には環状部１０が装着され、この環状部１０に前記臀部固定用ベルト７および補助ベルト１３の開放端を挿通して締着する構成とするものである。
【００２２】
次に図５に、本発明を適用した吊下げ用歩行補助具の一例を示す側面説明図、図６は図５における正面説明図を示す。
ここで示す吊下げ用歩行補助具５は、ズボン本体６の臀部位置ａ点を固定するために、股下部を通さずに臀部と大腿部の境目部分、即ち臀部において最も硬い部分に当接した状態で臀部固定用ベルト７をズボン本体６に縫い付け、また、補助ベルト１３を腰の後に回した状態でズボン本体６に縫い付ける。
【００２３】
一方、恥骨部固定帯８は、恥骨の突起部の位置に係留用穴９が開けられ、この係留用穴９に恥骨突起部Ｂがはまるようにして上下にずれないような構造とする。そして前記臀部固定用ベルト７および補助ベルト１３の開放端と恥骨部固定帯８の開放端とが面状テープなどによって自在に連結できる機構とする。
【００２４】
更に、恥骨部固定帯８の両端には環状部１０が縫い付けられ、この環状部１０に前記臀部固定用ベルト７に連結される吊上げロープ１１を挿通し、補助ベルト１３の中途に装着される挿通環１４内を通した状態で吊上げることにより、恥骨部固定帯８および臀部固定用ベルト７並びに補助ベルト１３が互いに締着する。
又吊上げロープ１１の上端には環状の吊上げフック１２を装着するものである。
【００２５】
また、図７に、本発明を適用した吊下げ用歩行補助具の他の例を示す側面説明図、図８は図７における正面説明図を示す。
ここで示す吊下げ用歩行補助具５は、ズボン本体６の臀部位置ａ点を固定するために、臀部固定用ベルト７を前方に引っ張り、臀部固定用ベルト７をズボン本体６に縫い付けてａ点より臀部固定用ベルト７が上下にずれないようにする。更に恥骨先端位置で恥骨部固定帯８によって受けるようにする。
【００２６】
そこで恥骨部固定帯８は、恥骨の突起部の位置に係留用穴９が開けられ、この係留用穴９に恥骨突起部Ｂがはまるようにして上下にずれないような構造とする。そして恥骨突起部Ｂの直下部において臀部固定用ベルト７の開放端を互いに連結するようにする。又ズボンの腰骨側に縫い付けられる補助ベルト１３の開放端を恥骨部固定帯８の恥骨突起部Ｂ上にて互いに連結することによって恥骨部固定帯８を固定することが可能となる。
なお、臀部固定用ベルト７および補助ベルト１３は、面状テープによって容易に着脱できる構成とすることが望ましい。
【００２７】
更に臀部固定用ベルト７の中間位置に吊上げロープ１１を結合するものであり、ここの結合位置とすることで、力の作用位置Ａ点とＢ点とが接近して、坐骨のａ点より臀部固定用ベルト７がずれるのを防ぐことが可能となる。
そして恥骨部固定帯８の両端には挿通穴１５および補助ベルト１３の中途には挿通環１４が設けられ、前記吊上げロープ１１の開放端を挿通穴１５および挿通環１４に通した状態で吊上げることによって恥骨部固定帯８および臀部固定用ベルト７並びに補助ベルト１３が互いに締着した状態となる。
又吊上げロープ１１の上端には環状の吊上げフック１２を装着するものである。
【００２８】
また、ズボン本体に臀部固定用ベルトおよび補助ベルトを装着する場合には、本実施例のようにズボン本体の表面側に装着する場合やズボン本体の裏面側に装着する場合であっても良い。
【００２９】
また、臀部固定用ベルトおよび吊上げロープは歩行訓練者を吊下げる際にかかるモーメントに対して充分に耐える幅および厚みを有するものであればいかなる素材のベルトであっても良いが、可撓性および強耐性の優れた布又は合成樹脂材によるベルトが最も好ましいものである。
【００３０】
以上の構成より成る本発明では図９に示すように、歩行訓練者Ｄがズボン本体６に脚を通した場合に、臀部固定用ベルト７が臀部Ｅと大腿部Ｆとの境目部分、即ちａ点に沿って当接された状態となる。
【００３１】
次に恥骨部固定帯８を恥骨突起部Ｂ上に当てがい、その恥骨部固定帯８を固定しながら臀部固定用ベルト７によって臀部Ｅ側に回した状態で固定する。
【００３２】
そして吊上げロープ１１の上端の吊上げフック１２を吊下げ装置のワイヤーに設けられるフックＧに係留させることで連結する。
【００３３】
また、図１０に示すように吊上げロープ１１の上端の吊上げフック１２を歩行訓練者Ｄの両側から介助者Ｈが持ちながら歩行の補助を行うことが可能となる。
【００３４】
これにより坂道や階段の登り降り、又は起ち上がりの際の補助として把持部を介助者が持上げるようにして吊り上げることによって脚部および腰部の負担を軽減させることが可能となる。
【００３５】
このようにしてズボン本体に装着される臀部固定用ベルトによって、吊下げる際に発生するモーメントは臀部側および大腿部側へ約７対３の割合で分散される。
【００３６】
従って吊下げ用ベルトにかかるモーメントに対して臀部の骨格からの反力が生じることとなり、吊下げ用ベルトによる肉ずれや筋肉痛の発生を最小限に防ぐことが可能となる。
【００３７】
【発明の効果】
以上述べて来た如く本発明によれば、吊り上げモーメントは臀部固定用ベルトによって、臀部側に分散されることで股ズレや局部的な痛みを発生することがなく、長時間の使用が可能となる。
また、臀部の一番硬い部分に臀部固定用ベルトが位置するために、吊上げる際に臀部固定用ベルトによる食い込みがなく、かつベルトを股下に通さない構造であるために、スムーズな歩行が可能となる。
【図面の簡単な説明】
【図１】横から見た腰骨部にかかる吊上げモーメントを示す説明図である。
【図２】図１における腰骨部にかかる立位による作用点の移動を示す説明図である。
【図３】本発明を適用した吊下げ用歩行補助具の基本構成を説明するための側面説明図である。
【図４】図３における正面説明図である。
【図５】本発明を適用した吊下げ用歩行補助具の一例を説明するための側面説明図である。
【図６】図５における側面説明図である。
【図７】本発明を適用した吊下げ用歩行補助具の他の例を説明するための側面説明図である。
【図８】図７における側面説明図である。
【図９】本発明を適用した吊下げ用歩行補助具の使用状態を示す説明図である。
【図１０】本発明を適用した吊下げ用歩行補助具の他の使用状態を示す説明図である。
【図１１】従来の吊下げ用歩行補助具の一例を示す説明図である。
【図１２】従来の吊下げ用歩行補助具の他の例を示す説明図である。
【符号の説明】
１      腰骨部
２      坐骨
３      恥骨
４      腸骨
５      吊下げ用歩行補助具
６      ズボン本体
７      臀部固定用ベルト
８      恥骨部固定帯
９      係留用穴
１０    環状部
１１    吊上げロープ
１２    吊上げフック
１３    補助ベルト
１４    挿通環
１５    挿通穴
【図１】
2004329365.tif 000003
【図２】
2004329365.tif 000004
【図３】
2004329365.tif 000005
【図４】
2004329365.tif 000006
【図５】
2004329365.tif 000007
【図６】
2004329365.tif 000008
【図７】
2004329365.tif 000009
【図８】
2004329365.tif 000010
【図９】
2004329365.tif 000011
【図１０】
2004329365.tif 000012
【図１１】
2004329365.tif 000013
【図１２】
2004329365.tif 000014